(57)【特許請求の範囲】
【請求項１】
音声圧縮機能、音声中継機能および発信・着信制御機能を有する伝送装置を、セル中継通信装置と圧縮された音声データを含むセルをタイムスロット毎のデジタルデータビット列に分解し組み立てる機能を有するセル分解・組立装置を経由してＡＴＭ網に接続したセル中継通信システムを介したセル中継通信方法において、
ＡＴＭ網から受信した通話が中継通話か自局通話かを識別し、該受信した通話が中継通話の場合は受信した通話にかかる圧縮された音声データを、低速のデジタルデータビット列に変換することなく前記セル中継通信装置と前記伝送装置の間で転送し伝送装置内で折り返して前記ＡＴＭ網へ中継し、前記受信した通話が自局通話の場合は受信した通話にかかる圧縮された音声データを、低速のデジタルデータビット列に変換して前記伝送装置へ転送するようにしたことを特徴とするセル中継通信方法。
【請求項２】
音声圧縮機能、音声中継機能および発信・着信制御機能を有する伝送装置を、圧縮された音声データを含むセルをタイムスロット毎のデジタルデータビット列に分解し組み立てる機能を有するセル分解・組立装置を介してＡＴＭ網に接続するセル中継通信装置からなるセル中継通信システムにおいて、
前記伝送装置は、
ＡＴＭ網から受信した通話が中継通話か自局通話かを識別する通話識別手段と、
前記通話識別手段の識別した結果が中継装置の場合は、連続した所定データを前記セル中継通信装置に送信する識別結果送信手段と、
前記通話識別手段の識別した結果が中継通話の場合、前記セル中継通信装置から送信される通話をそのまま返送する通話返送手段とを有し、
前記セル中継通信装置は、
前記識別結果送信手段から連続した所定データを受信した場合に、中継通話と表示する中継通話識別・表示手段と、
前記中継通話識別・表示手段の表示が、中継通話の場合は、受信した通話を低速のデジタルデータビット列に変換することなく前記伝送装置に転送し、前記受信した通話が自局通話の場合は、受信した通話にかかる圧縮された音声データを低速のデジタルデータビット列に変換して前記伝送装置に転送する転送手段とを備えたことを特徴とするセル中継通信システム。
【請求項３】
音声圧縮機能、音声中継機能および発信・着信制御機能と、ＡＴＭ網から受信した通話が中継通話か自局通話かを識別する機能を有する伝送装置を、圧縮された音声データを含むセルをタイムスロット毎のデジタルデータビット列に分解し組み立てる機能を有するセル分解・組立装置を介してＡＴＭ網に接続したセル中継通信システムに用いるセル中継通信装置において、
ＡＴＭ網から受信した通話が中継通話か自局通話かを識別した結果を表示する中継通話識別・表示手段と、
該中継通話識別・表示手段の表示が中継通話の場合は、当該通話にかかる圧縮された音声データを、低速のデジタルデータビット列に変換することなく前記伝送装置へ転送し、自局通話の場合は、当該通話にかかる圧縮された音声データを低速のデジタルデータビット列に変換して前記伝送装置へ転送する転送速度選択手段とを備え、
前記伝送装置と前記セル分解・組立装置間に設けたことを特徴とするセル中継通信装置。
【発明の詳細な説明】
【０００１】
【発明の属する技術分野】
本発明は、ＡＴＭ網に接続された複数の伝送装置により構成された通信網において、通話中継によって生じる遅延時間を短くした、音声圧縮データを中継するセル中継通信方法、および、セル中継通信方式、ならびに、セル中継通信装置に関する。
【０００２】
【従来の技術】
従来のＡＴＭ網を介したセル中継網のシステム構成を図９を用いて説明する。中継網は、それぞれ内線電話機４０を収容した音声中継機能および発信・着信制御機能を有する構内交換機（以下、ＰＢＸという）もしくは多重化装置（以下、ＴＤＭという）などの複数の伝送装置１０ａ〜１０ｃを、セルを分解し組み立てる機能を有するセル分解・組立装置（以下、ＣＬＡＤ装置という）３０ａ〜３０ｃを介してＡＴＭ網２０に接続して構成される。
各ＣＬＡＤ装置３０ａ〜３０ｃは、ＡＴＭ網２０から受信したセルを音声通信のような通信スピードが一定のディジタルデータのビット列に分解して伝送装置へ転送し、伝送装置からのディジタルデータビット列をセルに組み立ててＡＴＭ網２０に送信する機能を有している。
【０００３】
このような構成のセル中継網においては、例えば、電話４０ａからのアナログの音声データ［ＡＤ］は、伝送装置１０ａにおいてディジタルデータのビット列［ＤＤ］に変換された後、ＣＬＡＤ装置３０ａに転送される。ＣＬＡＤ装置３０ａでは、転送されたディジタルデータのビット列をセル［ＡＴＭセル］に組み立てて多重化して、ＡＴＭ網２０を介して相手先のＣＬＡＤ装置３０ｂに伝送する。
相手先のＣＬＡＤ装置３０ｂでは、多重化されたセルから自局宛セルを分解しディジタルデータビット列［ＤＤ］に変換して伝送装置１０ｂへ転送する。伝送装置１０ｂは、ディジタルデータビット列を音声データ［ＡＤ］に復元して電話機４０ｂへ送出する。
【０００４】
既述のように、伝送装置１０は、送られてきたセルを他局へ転送する中継機能と、自局の発信・着信を制御する発着信制御機能とを有している。
すなわち、伝送装置１０ｂを例にとると、伝送装置１０ｂが取り扱う通話には、矢印ａ−ｂで示される発信側伝送装置１０ａに収容された電話４０ａ−伝送装置１０ａ−ＣＬＡＤ装置３０ａ−ＡＴＭ網２０−ＣＬＡＤ装置３０ｂ−伝送装置１０ｂ−電話４０ｂの経路で通話する自局通話と、矢印ａ−ｃで示される電話４０ａ−伝送装置１０ａ−ＣＬＡＤ装置３０ａ−ＡＴＭ網２０−ＣＬＡＤ装置３０ｂ−伝送装置１０ｂ−ＣＬＡＤ装置３０ｂ−ＡＴＭ網２０−ＣＬＡＤ装置３０ｃ−伝送装置１０ｃ−電話４０ｂの経路で通話する中継通話がある。
【０００５】
中継通話の場合、ＣＬＡＤ装置３０ｂは、ＡＴＭ網２０から受信したセル［ＡＴＭセル］を低速の音声圧縮データ［ＤＤ］に変換して伝送装置１０ｂに転送し、伝送装置１０ｂは、該低速の音声圧縮データ［ＤＤ］を中経路に転送し、ＣＬＡＤ装置３０ｂで再度セル［ＡＴＭセル］に変換してＡＴＭ網２０へ転送し、伝送装置１０ｃへ中継していた。
この転送方法では、ＣＬＡＤ装置３０ｂが、伝送装置１０ｂから低速の音声圧縮データ［ＤＤ］を受信しセル［ＡＴＭセル］化する分の時間が多くかかり、音声の遅延時間となる問題を有していた。例えば８Ｋｂｐｓに音声を圧縮した場合は、ＣＬＡＤ装置３０ｂが低速の音声圧縮データ［ＤＤ］を受信するのに４８ｍｓかかり、これが音声遅延時間となる。
【０００６】
【発明が解決しようとする課題】
本発明は、上記問題に鑑み、音声中継機能および発信・着信制御機能を有するを有するＰＢＸやＴＤＭなどの伝送装置を、ＣＬＡＤ装置を介してＡＴＭ網に接続した中継システムにおいて、音声圧縮されたデータを中継する際、ＣＬＡＤ装置と伝送装置間を高速転送して中継することによって、中継遅延時間を短くすることを目的とする。
【０００７】
【課題を解決するための手段】
上記課題を解決するために、本発明は、音声圧縮機能、音声中継機能および発信・着信制御機能を有する伝送装置を、セル中継通信装置と圧縮された音声データを含むセルをタイムスロット毎のデジタルデータビット列に分解し組み立てる機能を有するセル分解・組立装置を経由してＡＴＭ網に接続したセル中継通信システムを介したセル中継通信方法において、ＡＴＭ網から受信した通話が中継通話か自局通話かを識別し、該受信した通話が中継通話の場合は受信した通話にかかる圧縮された音声データを、低速のデジタルデータビット列に変換することなく前記セル中継通信装置と前記伝送装置の間で転送し伝送装置内で折り返して前記ＡＴＭ網へ中継し、前記受信した通話が自局通話の場合は受信した通話にかかる圧縮された音声データを、低速のデジタルデータビット列に変換して当前記伝送装置へ転送するようにした。
【０００８】
また、本発明は、音声圧縮機能、音声中継機能および発信・着信制御機能を有する伝送装置を、圧縮された音声データを含むセルをタイムスロット毎のデジタルデータビット列に分解し組み立てる機能を有するセル分解・組立装置を介してＡＴＭ網に接続するセル中継通信装置からなるセル中継通信システムにおいて、前記伝送装置は、ＡＴＭ網から受信した通話が中継通話か自局通話かを識別する通話識別手段と、前記通話識別手段の識別した結果が中継装置の場合は、連続した所定データを前記セル中継通信装置に送信する識別結果送信手段と、前記通話識別手段の識別した結果が中継通話の場合、前記セル中継通信装置から送信される通話をそのまま返送する通話返送手段とを有し、前記セル中継通信装置は、前記識別結果送信手段から連続した所定データを受信した場合に、中継通話と表示する中継通話識別・表示手段と、前記中継通話識別・表示手段の表示が、中継通話の場合は、受信した通話にかかる圧縮された音声データを低速のデジタルデータビット列に変換することなく前記伝送装置に転送する前記受信した通話が自局通話の場合は、受信した通話にかかる圧縮された音声データを低速のデジタルデータビット列に変換して前記伝送装置に転送する転送手段とを備えた。
【０００９】
さらに、本発明は、音声圧縮機能、音声中継機能および発信・着信制御機能と、ＡＴＭ網から受信した通話が中継通話か自局通話かを識別する機能を有する伝送装置を、圧縮された音声データを含むセルをタイムスロット毎のデジタルデータビット列に変換し分解し組み立てる機能を有するセル分解・組立装置を介してＡＴＭ網に接続したセル中継通信システムに用いるセル中継通信装置において、ＡＴＭ網から受信した通話が中継通話か自局通話かを識別した結果を表示する中継通話識別・表示手段と、該中継通話識別・表示手段の表示が中継通話の場合は、当該通話にかかる圧縮された音声データを低速のデジタルデータビット列に変換することなく前記伝送装置へ転送し、自局通話の場合は、当該通話にかかる圧縮された音声データを低速のデジタルデータビット列に変換して前記伝送装置へ転送する転送速度選択手段とを備え、前記伝送装置と前記セル分解・組立装置間に設けた。
【００１０】
【作用】
本発明によれば、中継機能を有するおよび発信・着信制御機能伝送装置を、セルを分解し組み立てる機能を有するセル分解・組立装置を介してＡＴＭ網に接続した中継システムにおいて、ＡＴＭ網から受信した通話が中継通話か自局通話かを識別し結果を表示し、転送速度選択手段が表示内容により転送モードを選択することによって、中継通話の場合の伝送遅延時間を短くすることができる。
【００１１】
【発明の実施の形態】
図１に本発明にかかるセル中継通信方法および方式が適用される中継網のシステム構成を示す。
本発明にかかる中継網は、それぞれ電話機４０ａ〜４０ｃを収容した複数の伝送装置１０ａ〜１０ｃが、セル中継通信装置５０ａ〜５０ｃおよびＣＬＡＤ装置３０ａ〜３０ｃを介してＡＴＭ網２０に接続されて構成される。
【００１２】
伝送装置１０は、音声中継機能を有するＰＢＸ、ＴＤＭ等の伝送装置として構成され、自局の発信・着信を制御する発着信制御機能と、ＡＴＭ網２０から送られてきたセルを他局へ転送する中継機能を有している。
すなわち、伝送装置１０は、電話機４０から送信された音声データを低速例えば８Ｋｂｐｓに圧縮したディジタルデータビット列に変換してセル中継通信装置５０へ送信する機能と、ＡＴＭ網２０から受信したセルからＣＬＡＤ装置３０で復元され、セル中継通信装置５０から送られてきた、低速の自局宛ディジタルデータビット列を音声データに変換して電話機４０へ転送する機能を有している。また、伝送装置１０は、セル中継通信装置５０から送られてきた高速の中継用ディジタルデータビット列をそのまま中継しセル中継通信装置５０へ返送する機能を有している。
さらに、伝送装置１０は、ＡＴＭ網２０からの通話が自局通話であるか中継通話であるかを認識し、中継通話である旨の通知をセル中継通信装置５０に伝える機能を有している。
【００１３】
ＣＬＡＤ装置３０は、音声通信のような通信スピードが一定のディジタルデータビット列をＡＴＭセルに組み立てて、ＡＴＭ網２０に送信する機能、ＡＴＭ網２０から受信したＡＴＭセルからディジタルデータビット列を分解して取り出す機能を有している。
【００１４】
セル中継通信装置５０は、ＡＴＭ網２０から受信したＡＴＭセルが自局通話用か中継通話用かを、伝送装置からの中継通話である旨の通知によって識別して表示する中継通話識別・表示機能と、該受信した通話が中継通話の場合は受信した通話を低速のディジタルデータビット列に変換することなく伝送装置を介して高速転送して中継し、受信した通話が自局通話の場合は圧縮された音声データスピードすなわち低速のデータビット列に変換して伝送装置へ転送する転送速度選択機能を有している。
【００１５】
電話４０からの音声データは、伝送装置１０においてディジタルデータビット列に変換された後、セル中継通信装置５０を介してＣＬＡＤ装置３０に転送される。ＣＬＡＤ装置３０では、転送されたディジタルデータビット列をＡＴＭセルに組み立て、ＡＴＭ網２０へ伝送する。
【００１６】
本発明にかかるＣＬＡＤ装置３０およびセル中継通信装置５０のハードウェアブロック構成を図２を用いて説明する。
ＣＬＡＤ装置３０は、ディジタルデータビット列をＡＴＭセルに組み立てる機能を有するセル組立回路３１と、ＡＴＭセルをタイムスロットごとのディジタルデータビット列に分解する機能を有するセル分解回路３２と、伝送装置１０からのデータをタイムスロットごとに蓄積するｎ個のバッファ（例えばタイムスロットが２４であれば２４個のバッファ）３３ａ〜３３ｘと、セル分解回路３２からのディジタルデータビット列をタイムスロットごとに蓄積する２４個のバッファ３４ａ〜３４ｘとを有している。
【００１７】
ＣＬＡＤ装置３０は、ＡＴＭ網２０からのＡＴＭセルを分解したディジタルデータビット列をタイムスロットに対応したバッファ３４ａ〜３４ｘへ振り分ける。ＣＬＡＤ装置３０は、伝送装置１０からのディジタルデータビット列を、宛先に対応して設定したタイムスロットに対応したバッファ３３ａ〜３３ｘへ振り分ける。
【００１８】
セル中継通信装置５０は、中継通話であることを認識し、その旨を後述する受信回路および送出回路に表示（指示）する中継通話識別・表示回路５１と、受信した通話が自局通話であるときに低速のディジタルデータビット列に変換し、中継通話であるときに高速のディジタルデータビット列に変換する転送速度選択手段５２とを有している。
【００１９】
中継通話識別・表示回路５１は、伝送装置１０から受信した中継通話である旨の通知を受信し、中継通話であるときにはそのタイムスロットに対応する、バッファ３３ａ〜３３ｘに接続される受信回路５２２ａ〜５２２ｘとバッファ３４〜３４ｘに接続される送出制御回路５２４ａ〜５２４ｘに中継通話である表示を行う。
【００２０】
選択回路５２１は、伝送装置１０からのディジタルデータビット列をタイムスロットごとに設けられた受信回路５２２ａ〜５２２ｘへ振り分ける。
【００２１】
タイムスロットに対応して設けられた２４個の受信回路５２２ａ〜５２２ｘは、中継通話識別・表示回路５１からの中継通話である旨の表示があるときにはタイムスロットから８ビットを抽出し、データ先頭識別子である８ビット全て“０”を検出するとそれに続く４８バイトを当該受信回路に接続されたＣＬＡＤ装置３０のバッファ３３へ格納する。
受信回路５２２は、中継通話である旨の表示がないときには、タイムスロットに１ビットを順次当該受信回路に接続されたＣＬＡＤ装置３０のバッファ３３へ格納する。
【００２２】
タイムスロットおよびバッファ３４に対応して設けられた送出制御回路５２３は、セル分解回路３２からの起動信号によって起動される。
起動された送出制御回路５２３は、中継通話識別・表示回路５１の表示が中継通話でないときには、バッファ３４から１タイムスロットに対し例えば８Ｋｂｐｓに圧縮された音声データの場合１ビットを引き出し、選択回路５２４へ送出する。
【００２３】
以下、ＣＬＡＤ装置３０およびセル中継通信装置５０における、転送処理について説明する。
まず、伝送装置間で行なわれる通信接続動作について説明する。この通信接続動作は、ＳＤ−Ｉ回線の制御チャネルによって行なわれるものであり、ＣＬＡＤ装置及びセル中継通信装置は伝送装置間で行なわれる通信接続動作にかかる情報を、実質的にトランスペアレントに伝送する。
図７は、伝送装置１０ａから伝送装置１０ｂ又は１０ｃに通信路を設定する場合の動作例を示すフローチャートである。以下、図７に基づいて、通信路を設定する場合の動作を説明する。
【００２４】
まず、伝送装置１０ａから伝送装置１０ｂ又は１０ｃに発呼すると（Ｓ７１）、これに伴い発呼メッセージが伝送装置１０ｂに送信される。
伝送装置１０ｂでは、この発呼メッセージを受信すると（Ｓ７２）、この発呼が自局宛かどうか判別し（Ｓ７３）、自局宛の場合は、ＣＬＡＤ装置３０ｂに対してこの発呼が自局に対するものである表示を行なう（Ｓ７４）。
次いで、自装置内の通話路を設定し（Ｓ７５）、接続応答メッセージを伝送装置１０ａに送信する（Ｓ７６）。
【００２５】
一方、ステップＳ７３において、伝送装置１０ｂが他局（伝送装置１０ｃ）宛の発呼メッセージであることを判別すると、この発呼メッセージを伝送装置１０ｃに送信する。
伝送装置１０ｃでは、これを受信すると（Ｓ７７）、自装置内の通話路を設定し（Ｓ７８）、接続応答メッセージを伝送装置１０ｂに送信する（Ｓ７９）。
【００２６】
次に、伝送装置１０ｂでは、その接続応答メッセージを認識して通話を中継する通話路を設定し（Ｓ８０）、ＣＬＡＤ装置３０ｂに対してこの発呼が他局に対するものであり、中継接続する旨の表示を行なうと共に（Ｓ８１）、伝送装置１０ｃからの接続応答メッセージを伝送装置１０ａに送信する。
【００２７】
次に、伝送装置１０ａでは、その接続応答メッセージを受信すると（Ｓ８２）、自局内の通話路を設定し（Ｓ８３）、通話中状態に移行させる。
【００２８】
図８は、伝送装置１０ａからの要求により伝送装置１０ｂ又は１０ｃとの通信路を開放する場合の動作例を示すフローチャートである。以下、図８に基づいて、通信路を開放する場合の動作を説明する。
まず、伝送装置１０ａから伝送装置１０ｂ又は１０ｃに切断要求をすると（Ｓ９１）、これに伴い切断メッセージが伝送装置１０ｂに送信される。
伝送装置１０ｂでは、この切断メッセージを受信すると（Ｓ９２）、この切断要求が自局宛かどうか判断し（Ｓ９３）、自局宛の場合は、ＣＬＡＤ装置３０ｂに対してこの通話路を開放する旨の表示を行なう（Ｓ９４）。次いで、自装置内に設定されている通話路を開放し（Ｓ９５）、開放完了メッセージを伝送装置１０ａに送信する（Ｓ９６）。
【００２９】
一方、ステップＳ９３において、伝送装置１０ｂが他局（伝送装置１０ｃ）宛の切断メッセージであることを判別すると、この切断メッセージを伝送装置１０ｃに送信する。
伝送装置１０ｃでは、これを受信すると（Ｓ９７）、自装置内に設定されている通話路を開放し（Ｓ９８）、開放完了メッセージを伝送装置１０ｂに送信する（Ｓ９９）。
【００３０】
次に、伝送装置１０ｂでは、その開放完了メッセージを認識して通話を中継していた通話路を開放し（Ｓ１００）、ＣＬＡＤ装置３０ｂに対してこの通話路を開放する旨の表示を行なうと共に（Ｓ１０１）、伝送装置１０ｃからの開放完了メッセージを伝送装置１０ａに送信する。
【００３１】
そして、伝送装置１０ａでは、その開放完了メッセージを受信すると（Ｓ１０２）、自局内に設定されていた通話路を開放し（Ｓ１０３）、通話中状態にあった呼を切断する。
【００３２】
以上の通信接続動作により、中継通話識別・表示回路５１は、図３に示すＳＤ−Ｉ１．５Ｍのフレーム構造のタイムスロットＴＳ２４の８ビット情報から各タイムスロットが中継通話であるか自局通話であるかを識別し、受信回路５２２ａ〜５２２ｘおよび送出制御回路５２３ａ〜５２３ｘにそれぞれ通知する。
すなわち、タイムスロットＴＳ２４の８ビット情報は、前記した図７のフローチャートにおけるステップＳ７４およびステップＳ８１によって設定され、それら接続の形態を通知する。
【００３３】
まず、ＡＴＭ網２０からのセルデータの転送について説明する。
図５に示すＡＴＭセルが、ＡＴＭ網２０から信号線６４を介してセル分解回路３２に入力される。
セル分解回路３２は、セルヘッダからどのタイムスロットに送出するかを判定し、タイムスロットに対応したバッファ３４ａ〜３４ｘを選択して情報フィールドの４８バイトのデータを格納し、バッファ３４ａ〜３４ｘに接続されている送出制御回路５２３ａ〜５２３ｘを起動する。
【００３４】
起動された送出制御回路５２３ａ〜５２３ｘは、中継通話識別・表示回路５１の表示から、自局通話の場合は、１タイムスロットに対し、バッファ３４ａ〜３４ｘから１ビットづつ引き出した図３に示されるパターンで選択回路５２４に送出する。
中継通話の場合は、図６に示すデータ構成の内データ先頭識別子８ビット全て“０”を送出し、その後１タイムスロットに対し８ビットづつ引き出しデータ先頭識別子８ビットとそれに続く音声データ４８バイトを選択回路５２４に送出する。
一方、セル分解回路３２によって起動されない場合、送出制御回路５２３は無効データとして８ビット全て“１”を送出する。
このことによって、有効データが送出していないときは全てのビットは“１”であり、８ビットが全て“０”をデータ先頭識別子とすることができる。
【００３５】
伝送装置１０から信号線６１を介してＳＤ−Ｉ１．５Ｍｂｐｓ（ＪＴ−Ｇ７０３−ａ規格）で送られてきた８Ｋｂｐｓに音声圧縮されたディジタル信号は、自局通話の場合は図３に示されるようにタイムスロットごとに１ビット転送され、中継通話の場合は、図４に示すようにタイムスロットごとに８ビット転送されてくる。
受信回路５２２ａ〜５２２ｘは、中継通話識別・表示回路５１の表示から、自局通話の場合は、タイムスロットから１ビット抽出し、受信回路５２２ａ〜５２２ｘに接続されているバッファ３３ａ〜３３ｘに格納する。
中継通話の場合は、タイムスロットから８ビット抽出し、データ先頭識別子である８ビット全て“０”を検出する。それに続く４８バイトを受信回路に接続されているバッファ３３ａ〜３３ｘに格納する。
バッファ３３ａ〜３３ｘに４８バイト格納されたとき、セル組立回路３１は、図５に示すセル構造にするためバッファ３３ａ〜３３ｘ対応のヘッダおよびバッファ３３ａ〜３３ｘから４８バイトの音声圧縮データを取り出しＡＴＭセルを組み立て、信号線６３経由でＡＴＭ網２０へ送出する。
【００３６】
以上のように本発明にかかるセル中継網においては、例えば、電話機４０ａからのアナログの音声データ［ＡＤ］は、伝送装置１０ａにおいてディジタルデータビット列［ＤＤ］に変換された後、セル中継通信装置５０ａを介してＣＬＡＤ装置３０ａに転送される。ＣＬＡＤ装置３０ａでは、転送されたディジタルデータのビット列をセル［ＡＴＭセル］に組み立てて多重化して、ＡＴＭ網２０を介してＣＬＡＤ装置３０ｂへ伝送する。
ＣＬＡＤ装置３０ｂでセル分解されて得たディジタルデータビット列は、セル中継通信装置５０ｂへ送られる。セル中継通信装置５０ｂは、自局通話であるときには、低速のディジタルデータビット列［ＤＤ］に変換して伝送装置１０ｂへ転送する。伝送装置１０ｂは、ディジタルデータビット列を音声データ［ＡＤ］に復元して電話機４０ｂへ送出する。
【００３７】
一方、中継通話の場合、セル中継通信装置５０ｂは、ＡＴＭ網２０から受信したセル［ＡＴＭセル］を高速のデータ［高速ＤＤ］に変換して伝送装置１０ｂを介して転送し、セル中継通信装置５０ｂで再度セル［ＡＴＭセル］に変換してＡＴＭ網２０へ転送し、伝送装置１０ｃへ中継する。
【００３８】
このように、本発明によれば、中継通話では、伝送装置１０ｂを後続のディジタルデータで伝送するので、低速音声圧縮データをＡＴＭセルに変換する際の遅延を極めて小さくすることができる。
【００３９】
【発明の効果】
上記の実施の形態より明らかなように、本発明によれば、中継通話に対してタイムスロット８ビットを使い転送するので、８Ｋｐｂｓに音声圧縮されたデータを転送することができ、１セル分のデータを蓄積する時間を４８ｍｓから６ｍｓにすることができる。したがって、システム全体での音声遅延時間を１５０ｍｓ〜２００ｍｓの範囲に納めれば良いときには、中継断数を増やすことができる。
【図面の簡単な説明】
【図１】本発明にかかるセル中継通信方法が適用される中継網のシステム構成を示すブロック図。
【図２】本発明にかかるＣＬＡＤ装置３０およびセル中継通信装置５０のハードウェア構成を示すブロック図。
【図３】ＣＬＡＤ装置−伝送装置間の８Ｋｂｐｓ音声圧縮データの自局通話時の伝送フレーム構成を示す図。
【図４】ＣＬＡＤ装置−伝送装置間の８Ｋｂｐｓ音声圧縮データの中継通話時の伝送フレーム構成を示す図。
【図５】ＡＴＭセルの構造を示す図。
【図６】ＣＬＡＤ装置−伝送装置間の８Ｋｂｐｓ音声圧縮データの中継通話時のデータ転送の態様を示す図。
【図７】伝送装置間の通信接続動作における通話路設定を示すフローチャート。
【図８】伝送装置間の通信接続動作における通話路開放を示すフローチャート。
【図９】従来のＡＴＭ網を介したセル中継網のシステム構成を示すブロック図。
【符号の説明】
１０  伝送装置
２０  ＡＴＭ網
３０  ＣＬＡＤ装置
３１  セル組立回路
３２  セル分解回路
３３  バッファ
３４  バッファ
４０  電話機
５０  セル中継通信装置
５１  中継通話識別・表示回路
５２  送出制御回路
５２２  受信回路
５２１  選択回路
５２３  送出制御回路
５２４  選択回路
６１  ＰＢＸからの信号入力線
６２  ＰＢＸへの信号出力線
６３  ＡＴＭ網への信号出力線
６４  ＡＴＭ網からの信号入力線
【図１】
0003583594.tif 000002
【図２】
0003583594.tif 000003
【図３】
0003583594.tif 000004
【図４】
0003583594.tif 000005
【図５】
0003583594.tif 000006
【図６】
0003583594.tif 000007
【図７】
0003583594.tif 000008
【図８】
0003583594.tif 000009
【図９】
0003583594.tif 000010